(57)【要約】【課題】印刷処理の途中で何らかの障害が発生した場合でも、適切な再印刷処理を行う。【解決手段】制御部４１は、出力指示を受けた印刷データの出力処理が正常に完了しなかった場合、この印刷データの出力を再度実行する自動リカバリ処理（再印刷処理）が行われるように印刷部１６を制御する。しかし、制御部４１は、画像が出力された後の連続紙を裁断するための裁断処理装置２０が後処理装置として接続されている場合には、出力指示を受けた印刷データの出力処理が正常に完了しなかった場合でも、自動リカバリ機能を無効にして、自動リカバリ処理を行わないよう印刷部１６を制御する。【選択図】図４
2015221533.tif 000002
【特許請求の範囲】
【請求項１】
出力指示を受けた印刷データに基づいて連続紙に画像を出力する出力手段と、
前記印刷データの出力処理が正常に完了しなかった場合、当該印刷データの出力を再度実行する再印刷処理が行われるように前記出力手段を制御する制御手段とを備え、
前記制御手段は、画像が出力された後の連続紙の後処理を行うための後処理置が接続されている場合には、前記印刷データの出力処理が正常に完了しなかったときでも、前記再印刷処理を行わないよう前記出力手段を制御する画像形成装置。
【請求項２】
外部から情報を受信する受信手段をさらに備え、
前記制御手段は、前記受信手段が受信した情報に、後処理装置が接続されていることを示す接続情報が含まれている場合に、出力指示を受けた印刷データの出力処理が正常に完了しなかったときでも、前記再印刷処理を行わないよう前記出力手段を制御する請求項１記載の画像形成装置。
【請求項３】
前記連続紙が搬送される搬送路に設けられ、連続紙が通過したか否かを検出する検出手段をさらに備え、
前記制御手段は後処理置が接続されている場合でも、前記検出手段により連続紙の通過が検出されない場合には、出力指示を受けた印刷データの出力処理が正常に完了しなかったとき、前記再印刷処理が行われるように前記出力手段を制御する請求項１記載の画像形成装置。
【請求項４】
外部からの情報を受信する受信手段をさらに備え、
前記制御手段は、前記受信手段が受信した情報に、後処理置が接続されていることを示す接続情報が含まれおり、当該画像形成装置から出力された印刷処理後の連続紙が前記後処理置の搬送路上のある位置を通過していないことを示す情報が含まれている場合、前記検出手段により連続紙の通過が検出されているときでも、前記再印刷処理が行われるように前記出力手段を制御する請求項３記載の画像形成装置。
【請求項５】
前記制御手段は、前記受信手段が受信した情報に、後処理置が接続されていることを示す接続情報が含まれおり、当該画像形成装置から出力された印刷処理後の連続紙が前記後処理置の搬送路上のある位置を通過したことを示す情報が含まれている場合でも、前記出力指示に基づく印刷データの出力処理の開始後に前記後処理置の後処理機構が駆動されたことを示す駆動情報が含まれていない場合には、前記検出手段により連続紙の通過が検出されている場合でも、前記再印刷処理が行われるように前記出力手段を制御する請求項４記載の画像形成装置。
【請求項６】
画像形成装置から出力された印刷処理後の連続紙を裁断するための裁断機構と、
前記裁断機構まで連続紙を搬送する搬送路に設けられ、連続紙が通過したか否かを判定する通過判定手段と、
前記通過判定手段による判定結果を、出力指示を受けた印刷データの出力処理が正常に完了しなかった場合に当該印刷データの出力を再度実行する再印刷処理を行うか否かを判定するための情報として、前記画像形成装置に送信する送信手段と、
を備える裁断処理装置。
【請求項７】
画像形成装置から出力された印刷処理後の連続紙を裁断するための裁断機構と、
前記裁断機構まで連続紙を搬送する搬送路に設けられ、連続紙が通過したか否かを判定する通過判定手段と、
前記通過判定手段による判定結果と、前記裁断機構が駆動されたか否かを示す駆動情報とを、出力指示を受けた印刷データの出力処理が正常に完了しなかった場合に当該印刷データの出力を再度実行する再印刷処理を行うか否かを判定するための情報として、前記画像形成装置に送信する送信手段と、
を備える裁断処理装置。
【請求項８】
出力指示を受けた印刷データに基づいて連続紙に画像を出力する出力手段と、出力指示を受けた印刷データの出力処理が正常に完了しなかった場合、当該印刷データの出力を再度実行する再印刷処理が行われるように前記出力手段を制御する制御手段とを備え、前記制御手段は、画像が出力された後の連続紙の後処理を行うための後処理置が接続されている場合には、出力指示を受けた印刷データの出力処理が正常に完了しなかった場合でも、前記再印刷処理を行わないよう前記出力手段を制御する画像形成装置と、
前記画像形成装置により画像が出力された連続紙の後処理を行うための後処理置と、
を有する印刷システム。
【請求項９】
前記画像形成装置は、前記連続紙が搬送される搬送路に設けられ連続紙が通過したか否かを検出する検出手段をさらに備え、
前記制御手段は、後処理置が接続されている場合でも、前記検出手段により連続紙の通過が検出されない場合には、出力指示を受けた印刷データの出力処理が正常に完了しなかった場合、前記再印刷処理が行われるように前記出力手段を制御する請求項８記載の印刷システム。
【請求項１０】
前記画像形成装置は、外部に接続された後処理装置からの情報を受信する受信手段をさらに備え、
前記後処理置は、前記画像形成装置から出力された印刷処理後の連続紙の後処理を行うための後処理機構と、前記後処理機構まで連続紙を搬送する搬送路に設けられ連続紙が通過したか否かを判定する通過判定手段と、前記通過判定手段による判定結果を出力指示を受けた印刷データの出力処理が正常に完了しなかった場合に当該印刷データの出力を再度実行する再印刷処理を行うか否かを判定するための情報として前記画像形成装置に送信する送信手段とを備え、
前記制御手段は、前記受信手段が受信した情報に、後処理置が接続されていることを示す接続情報が含まれおり、当該画像形成装置から出力された印刷処理後の連続紙が前記後処理置の搬送路上のある位置を通過していないことを示す情報が含まれている場合、前記検出手段により連続紙の通過が検出されている場合でも、前記再印刷処理が行われるように前記出力手段を制御する請求項９記載の印刷システム。
【請求項１１】
前記送信手段は、前記後処理機構が駆動されたか否かを示す駆動情報を、出力指示を受けた印刷データの出力処理が正常に完了しなかった場合に当該印刷データの出力を再度実行する再印刷処理を行うか否かを判定するための情報として、前記画像形成装置に送信し、
前記制御手段は、前記受信手段が受信した情報に、後処理置が接続されていることを示す接続情報が含まれおり、当該画像形成装置から出力された印刷処理後の連続紙が前記後処理置の搬送路上のある位置を通過したことを示す情報が含まれている場合でも、前記出力指示に基づく印刷データの出力処理の開始後に前記後処理置の後処理機構が駆動されたことを示す駆動情報が含まれていない場合には、前記検出手段により連続紙の通過が検出されている場合でも、前記再印刷処理が行われるように前記出力手段を制御する請求項１０記載の印刷システム。
【請求項１２】
出力指示を受けた印刷データに基づいて連続紙に画像を出力するステップと、
出力指示を受けた印刷データの出力処理が正常に完了しなかった場合、当該印刷データの出力を再度実行する再印刷処理が行われるように制御する際に、画像が出力された後の連続紙の後処理を行うための後処理置が接続されている場合には、出力指示を受けた印刷データの出力処理が正常に完了しなかった場合でも、前記再印刷処理を行わないよう制御するステップとをコンピュータに実行させるためのプログラム。
【発明の詳細な説明】
【技術分野】
【０００１】
本発明は、画像形成装置、裁断処理装置、印刷システムおよびプログラムに関する。
【背景技術】
【０００２】
特許文献１には、用紙ジャムバックアップ処理を開始する前に、バックアップ処理を行うか否かを選択できるようにして、不必要なジャムバックアップ処理を防止するようにした印刷装置が開示されている。
【０００３】
特許文献２には、ジャムが発生した場合、印刷中のページのみをリカバリ印刷することにより、印刷が終了しつつある用紙のリカバリを行うことを不要とした印刷媒体制御方法が開示されている。
【先行技術文献】
【特許文献】
【０００４】
【特許文献１】特開２０００−３２６５７０号公報
【特許文献２】特開平６−６４７８６号公報
【発明の概要】
【発明が解決しようとする課題】
【０００５】
本発明の目的は、印刷処理の途中で何らかの障害が発生した場合でも、重複した印刷結果の発生を防止しつつ再印刷処理が行われることを可能とする画像形成装置、裁断処理装置、印刷システムおよびプログラムを提供することである。
【課題を解決するための手段】
【０００６】
［画像形成装置］
請求項１に係る本発明は、出力指示を受けた印刷データに基づいて連続紙に画像を出力する出力手段と、
前記印刷データの出力処理が正常に完了しなかった場合、当該印刷データの出力を再度実行する再印刷処理が行われるように前記出力手段を制御する制御手段とを備え、
前記制御手段は、画像が出力された後の連続紙の後処理を行うための後処理置が接続されている場合には、前記印刷データの出力処理が正常に完了しなかったときでも、前記再印刷処理を行わないよう前記出力手段を制御する画像形成装置である。
【０００７】
請求項２に係る本発明は、外部から情報を受信する受信手段をさらに備え、
前記制御手段は、前記受信手段が受信した情報に、後処理装置が接続されていることを示す接続情報が含まれている場合に、出力指示を受けた印刷データの出力処理が正常に完了しなかったときでも、前記再印刷処理を行わないよう前記出力手段を制御する請求項１記載の画像形成装置である。
【０００８】
請求項３に係る本発明は、前記連続紙が搬送される搬送路に設けられ、連続紙が通過したか否かを検出する検出手段をさらに備え、
前記制御手段は後処理置が接続されている場合でも、前記検出手段により連続紙の通過が検出されない場合には、出力指示を受けた印刷データの出力処理が正常に完了しなかったとき、前記再印刷処理が行われるように前記出力手段を制御する請求項１記載の画像形成装置である。
【０００９】
請求項４に係る本発明は、外部からの情報を受信する受信手段をさらに備え、
前記制御手段は、前記受信手段が受信した情報に、後処理置が接続されていることを示す接続情報が含まれおり、当該画像形成装置から出力された印刷処理後の連続紙が前記後処理置の搬送路上のある位置を通過していないことを示す情報が含まれている場合、前記検出手段により連続紙の通過が検出されているときでも、前記再印刷処理が行われるように前記出力手段を制御する請求項３記載の画像形成装置である。
【００１０】
請求項５に係る本発明は、前記制御手段が、前記受信手段が受信した情報に、後処理置が接続されていることを示す接続情報が含まれおり、当該画像形成装置から出力された印刷処理後の連続紙が前記後処理置の搬送路上のある位置を通過したことを示す情報が含まれている場合でも、前記出力指示に基づく印刷データの出力処理の開始後に前記後処理置の後処理機構が駆動されたことを示す駆動情報が含まれていない場合には、前記検出手段により連続紙の通過が検出されている場合でも、前記再印刷処理が行われるように前記出力手段を制御する請求項４記載の画像形成装置である。
【００１１】
[裁断処理装置]
請求項６に係る本発明は、画像形成装置から出力された印刷処理後の連続紙を裁断するための裁断機構と、
前記裁断機構まで連続紙を搬送する搬送路に設けられ、連続紙が通過したか否かを判定する通過判定手段と、
前記通過判定手段による判定結果を、出力指示を受けた印刷データの出力処理が正常に完了しなかった場合に当該印刷データの出力を再度実行する再印刷処理を行うか否かを判定するための情報として、前記画像形成装置に送信する送信手段と、
を備える裁断処理装置である。
【００１２】
請求項７に係る本発明は、画像形成装置から出力された印刷処理後の連続紙を裁断するための裁断機構と、
前記裁断機構まで連続紙を搬送する搬送路に設けられ、連続紙が通過したか否かを判定する通過判定手段と、
前記通過判定手段による判定結果と、前記裁断機構が駆動されたか否かを示す駆動情報とを、出力指示を受けた印刷データの出力処理が正常に完了しなかった場合に当該印刷データの出力を再度実行する再印刷処理を行うか否かを判定するための情報として、前記画像形成装置に送信する送信手段とを備える裁断処理装置である。
【００１３】
[印刷システム]
請求項８に係る本発明は、出力指示を受けた印刷データに基づいて連続紙に画像を出力する出力手段と、出力指示を受けた印刷データの出力処理が正常に完了しなかった場合、当該印刷データの出力を再度実行する再印刷処理が行われるように前記出力手段を制御する制御手段とを備え、前記制御手段は、画像が出力された後の連続紙の後処理を行うための後処理置が接続されている場合には、出力指示を受けた印刷データの出力処理が正常に完了しなかった場合でも、前記再印刷処理を行わないよう前記出力手段を制御する画像形成装置と、
前記画像形成装置により画像が出力された連続紙の後処理を行うための後処理置とを有する印刷システムである。
【００１４】
請求項９に係る本発明は、前記画像形成装置が、前記連続紙が搬送される搬送路に設けられ連続紙が通過したか否かを検出する検出手段をさらに備え、
前記制御手段は、後処理置が接続されている場合でも、前記検出手段により連続紙の通過が検出されない場合には、出力指示を受けた印刷データの出力処理が正常に完了しなかった場合、前記再印刷処理が行われるように前記出力手段を制御する請求項８記載の印刷システムである。
【００１５】
請求項１０に係る本発明は、前記画像形成装置が、外部に接続された後処理装置からの情報を受信する受信手段をさらに備え、
前記後処理置は、前記画像形成装置から出力された印刷処理後の連続紙の後処理を行うための後処理機構と、前記後処理機構まで連続紙を搬送する搬送路に設けられ連続紙が通過したか否かを判定する通過判定手段と、前記通過判定手段による判定結果を出力指示を受けた印刷データの出力処理が正常に完了しなかった場合に当該印刷データの出力を再度実行する再印刷処理を行うか否かを判定するための情報として前記画像形成装置に送信する送信手段とを備え、
前記制御手段は、前記受信手段が受信した情報に、後処理置が接続されていることを示す接続情報が含まれおり、当該画像形成装置から出力された印刷処理後の連続紙が前記後処理置の搬送路上のある位置を通過していないことを示す情報が含まれている場合、前記検出手段により連続紙の通過が検出されている場合でも、前記再印刷処理が行われるように前記出力手段を制御する請求項９記載の印刷システムである。
【００１６】
請求項１１に係る本発明は、前記送信手段が、前記後処理機構が駆動されたか否かを示す駆動情報を、出力指示を受けた印刷データの出力処理が正常に完了しなかった場合に当該印刷データの出力を再度実行する再印刷処理を行うか否かを判定するための情報として、前記画像形成装置に送信し、
前記制御手段は、前記受信手段が受信した情報に、後処理置が接続されていることを示す接続情報が含まれおり、当該画像形成装置から出力された印刷処理後の連続紙が前記後処理置の搬送路上のある位置を通過したことを示す情報が含まれている場合でも、前記出力指示に基づく印刷データの出力処理の開始後に前記後処理置の後処理機構が駆動されたことを示す駆動情報が含まれていない場合には、前記検出手段により連続紙の通過が検出されている場合でも、前記再印刷処理が行われるように前記出力手段を制御する請求項１０記載の印刷システムである。
【００１７】
[プログラム]
請求項１２に係る本発明は、出力指示を受けた印刷データに基づいて連続紙に画像を出力するステップと、
出力指示を受けた印刷データの出力処理が正常に完了しなかった場合、当該印刷データの出力を再度実行する再印刷処理が行われるように制御する際に、画像が出力された後の連続紙の後処理を行うための後処理置が接続されている場合には、出力指示を受けた印刷データの出力処理が正常に完了しなかった場合でも、前記再印刷処理を行わないよう制御するステップとをコンピュータに実行させるためのプログラムである。
【発明の効果】
【００１８】
請求項１に係る本発明によれば、印刷処理の途中で何らかの障害が発生した場合に、重複した印刷結果の発生を防ぐことができる画像形成装置を提供することができる。
【００１９】
請求項２に係る本発明によれば、印刷処理の途中で何らかの障害が発生した場合に、重複した印刷結果の発生を防ぐことができる画像形成装置を提供することができる。
【００２０】
請求項３に係る本発明によれば、印刷処理の途中で何らかの障害が発生した場合に、再印刷処理が行われても重複した印刷結果が発生しないときまで、再印刷機能を無効にしてしまうことを防ぐことができる画像形成装置を提供することができる。
【００２１】
請求項４に係る本発明によれば、印刷処理の途中で何らかの障害が発生した場合に、再印刷処理が行われても重複した印刷結果が発生しないときまで、再印刷機能を無効にしてしまうことを防ぐことができる画像形成装置を提供することができる。
【００２２】
請求項５に係る本発明によれば、印刷処理の途中で何らかの障害が発生した場合に、再印刷処理が行われても重複した印刷結果が発生しないときまで、再印刷機能を無効にしてしまうことを防ぐことができる画像形成装置を提供することができる。
【００２３】
請求項６に係る本発明によれば、印刷処理の途中で何らかの障害が発生した場合に、再印刷処理が行われても重複した印刷結果が発生しないときまで、再印刷機能を無効にしてしまうことを防ぐことができる裁断処理装置を提供することができる。
【００２４】
請求項７に係る本発明によれば、印刷処理の途中で何らかの障害が発生した場合に、再印刷処理が行われても重複した印刷結果が発生しないときまで、再印刷機能を無効にしてしまうことを防ぐことができる裁断処理装置を提供することができる。
【００２５】
請求項８に係る本発明によれば、印刷処理の途中で何らかの障害が発生した場合に、再印刷処理が行われることによる重複した印刷結果の発生を防ぐことができる印刷システムを提供することができる。
【００２６】
請求項９に係る本発明によれば、印刷処理の途中で何らかの障害が発生した場合に、再印刷処理が行われても重複した印刷結果が発生しないときまで、再印刷機能を無効にしてしまうことを防ぐことができる印刷システムを提供することができる。
【００２７】
請求項１０に係る本発明によれば、印刷処理の途中で何らかの障害が発生した場合に、再印刷処理が行われても重複した印刷結果が発生しないときまで、再印刷機能を無効にしてしまうことを防ぐことができる印刷システムを提供することができる。
【００２８】
請求項１１に係る本発明によれば、印刷処理の途中で何らかの障害が発生した場合に、再印刷処理が行われても重複した印刷結果が発生しないときまで、再印刷機能を無効にしてしまうことを防ぐことができる印刷システムを提供することができる。
【００２９】
請求項１２に係る本発明によれば、印刷処理の途中で何らかの障害が発生した場合に、再印刷処理が行われることによる重複した印刷結果の発生を防ぐことができるプログラムを提供することができる。
【図面の簡単な説明】
【００３０】
【図１】本発明の第１の実施形態の印刷システムのシステム構成を示す図である。
【図２】本発明の第１の実施形態における画像形成装置１０において印刷されるカットマークを説明するための図である。
【図３】本発明の第１の実施形態における画像形成装置１０のハードウェア構成を示すブロック図である。
【図４】本発明の第１の実施形態における画像形成装置１０の機能構成を示すブロック図である。
【図５】障害が何も発生しない場合に、裁断処理装置２０で印刷結果が順次出力される様子を示した図である。
【図６】印刷処理の途中でジャムが発生した場合の様子を説明するための図である。
【図７】図６で示したようなジャムが発生した場合、自動リカバリ処理が行われた結果を説明するための図である。
【図８】本発明の第１の実施形態の画像形成装置１０における制御部４１の動作を示すフローチャートである。
【図９】本発明の第２の実施形態の印刷システムのシステム構成を示す図である。
【図１０】本発明の第２の実施形態における画像形成装置１０ａの機能構成を示すブロック図である。
【図１１】本発明の第２の実施形態の画像形成装置１０ａにおける制御部４１ａの動作を示すフローチャートである。
【図１２】本発明の第３の実施形態の印刷システムのシステム構成を示す図である。
【図１３】本発明の第３の実施形態における画像形成装置１０ｂの機能構成を示すブロック図である。
【図１４】本発明の第３の実施形態の画像形成装置１０ｂにおける制御部４１ｂの動作を示すフローチャートである。
【図１５】本発明の第４の実施形態の印刷システムのシステム構成を示す図である。
【図１６】本発明の第４の実施形態における画像形成装置１０ｃの機能構成を示すブロック図である。
【図１７】本発明の第４の実施形態の画像形成装置１０ｃにおける制御部４１ｃの動作を示すフローチャートである。
【発明を実施するための形態】
【００３１】
次に、本発明の実施の形態について図面を参照して詳細に説明する。
【００３２】
[第１の実施形態]
図１は本発明の第１の実施形態の印刷システムのシステム構成を示す図である。
【００３３】
本実施形態の印刷システムは、図１に示されるように、画像形成装置（プリンタ）１０と裁断処理装置（カッター）２０とから構成されている。
【００３４】
画像形成装置１０は、出力指示を受けた印刷データに基づいて、連続紙（ロール紙、長尺用紙）に画像を出力する印刷部（出力手段）１６を備え、給紙部から供給された連続紙上に画像を印刷する。
【００３５】
裁断処理装置２０は、画像形成装置１０により画像が出力された連続紙の裁断処理を行うための装置であり、画像形成装置１０から出力された印刷処理後の連続紙を裁断するためのカット機構（裁断機構：後処理機構）２１を備えている。
【００３６】
画像形成装置１０では、連続紙上に印刷データに基づく画像とともに、例えば図２に示すようなカットマークを印刷する。そして、裁断処理装置２０は、図示されないセンサによりこのカットマークを読み取り、読み取ったカットマークの位置に基づいてカット機構２１を制御することにより印刷後の連続紙を裁断して出力している。
【００３７】
そして、画像形成装置１０と裁断処理装置２０とは通信ケーブル３０により接続されている。画像形成装置１０と裁断処理装置２０とは、この通信ケーブル３０を介して、エラーが発生したことを示すエラー情報や、切断処理装置２０が画像形成装置１０に接続されていることを示す接続情報等の各種情報の送受信を行っている。
【００３８】
次に、本実施形態の印刷システムにおける画像形成装置１０のハードウェア構成を図３に示す。
【００３９】
画像形成装置１０は、図３に示されるように、ＣＰＵ１１、メモリ１２、ハードディスクドライブ（ＨＤＤ）等の記憶装置１３、通信ケーブル３０を介して裁断処理装置２０との間でデータの送信及び受信を行う通信インタフェース（ＩＦ）１４、タッチパネル又は液晶ディスプレイ並びにキーボードを含むユーザインタフェース（ＵＩ）装置１５、印刷部１６を有する。これらの構成要素は、制御バス１７を介して互いに接続されている。
【００４０】
ＣＰＵ１１は、メモリ１２または記憶装置１３に格納された制御プログラムに基づいて所定の処理を実行して、画像形成装置１０の動作を制御する。
【００４１】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４２】
図４は、上記の制御プログラムが実行されることにより実現される画像形成装置１０の機能構成を示すブロック図である。
【００４３】
本実施形態の画像形成装置１０は、図４に示されるように、印刷部１６と、制御部４１と、判定部４２と、データ送受信部４３とを備えている。
【００４４】
制御部４１は、出力指示を受けた印刷データの出力処理が正常に完了しなかった場合、この印刷データの出力を再度実行する自動リカバリ処理（再印刷処理）が行われるように印刷部１６を制御する。
【００４５】
ここで自動リカバリ処理を行うための自動リカバリ機能について以下に説明する。
【００４６】
自動リカバリ機能とは、ある印刷指示の実行中に、用紙切れ、用紙詰まり（ジャム）等の何らかの障害が発生して印刷指示が最後まで実行できなかった場合、使用者に問い合わせることなく自動的に印刷指示の再実行を行う機能である。しかし、連続紙を用いた印刷処理を行い裁断処理装置で印刷後の連続紙を裁断するような印刷システムにおいて、この自動リカバリ機能を常に実行すると問題が発生する場合がある。
【００４７】
この自動リカバリ機能を常に実行した場合の出力結果の例を図５〜図７を参照して説明する。
【００４８】
先ず最初に、障害が何も発生しない場合の画像形成装置１０と裁断処理装置２０の出力例を図５に示す。図５に示されるように、画像形成装置１０において連続紙への印刷処理中にジャム発生、用紙詰まり等の障害が何も発生せず、裁断処理装置２０においても何の障害も発生しない場合、裁断処理装置２０では正常に裁断処理が行われて各ページ毎の印刷結果が順次出力される。
【００４９】
ここで、図６に示すように、画像形成装置１０において３ページ目の印刷終了後に４ページの画像の印刷途中でジャムが発生したものとする。このような場合、画像形成装置１０では、印刷ジョブ（印刷指示）全体の出力処理が正常に完了しなかったものと認識される。しかし、連続紙上で１〜３ページ分は正常な印刷が行われているので、裁断処理装置２０で裁断処理が行われることにより第１〜第３ページまでは正常な印刷結果が得られる。つまり、使用者にとっては、第１〜第３ページまでは正常な印刷結果が得られ、第４ページ以降について正常な印刷結果が得られなかったと認識されることになる。
【００５０】
そのため、このような場合に自動リカバリ処理を実行すると、図７に示すように、使用者にとっては第１〜第３ページについては正常な印刷結果が得られているのに、再度第１〜第３ページについても再印刷が行われ重複した印刷結果を得ることになる。
【００５１】
そのため、本実施形態における画像形成装置１０では、制御部４１は、画像が出力された後の連続紙を裁断するための裁断処理装置２０が後処理装置として接続されている場合には、出力指示を受けた印刷データの出力処理が正常に完了しなかった場合でも、自動リカバリ機能を無効にして、自動リカバリ処理を行わないよう印刷部１６を制御する。
【００５２】
ここで、データ送受信部４３は、外部に接続された後処理装置からの情報を受信する受信手段として機能している。そして、判定部４２は、データ送受信部４３が受信した情報に、裁断処理装置が接続されていることを示す接続情報が含まれている場合、後処理装置として裁断処理装置が接続されていると判定する。
【００５３】
そのため、制御部４１は、判定部４２により裁断処理装置が接続されていると判定された場合に、出力指示を受けた印刷データの出力処理が正常に完了しなかった場合でも、自動リカバリ処理を行わないよう印刷部１６を制御する。なお、本実施形態では、判定部４２を制御部４１とは別構成として説明しているが、判定部４２の機能が制御部４１に含まれるような構成とすることも可能である。
【００５４】
次に、本実施形態の画像形成装置１０における制御部４１の動作を図８のフローチャートに示す。
【００５５】
先ず、初期設定では、制御部４１は、自動リカバリ機能を有効であるものと設定しているものとする。
【００５６】
そして、データ送受信部４３が裁断処理装置２０から受信した情報の中に、裁断処理装置が接続されていることを示す接続情報が含まれていると判定部４２において判定された場合（ステップＳ１０１においてｙｅｓ）、制御部４１は、自動リカバリ機能を無効とする（ステップＳ２０１）。
【００５７】
また、データ送受信部４３が裁断処理装置２０から受信した情報の中に、裁断処理装置が接続されていることを示す接続情報が含まれていないと判定部４２において判定された場合（ステップＳ１０１においてｎｏ）、制御部４１は、自動リカバリ機能を有効のままとする。
【００５８】
[第２の実施形態]
次に、本発明の第２の実施形態の印刷システムについて説明する。
【００５９】
図９は本発明の第２の実施形態の印刷システムのシステム構成を示す図である。図９において、図１中の構成要素と同一の構成要素には同一の符号を付し、説明を省略するものとする。
【００６０】
本実施形態の印刷システムは、図１に示した印刷システムに対して、画像形成装置１０を画像形成装置１０ａに置き換えた構成となっている。そして、画像形成装置１０ａは、画像形成装置１０に対して、連続紙が搬送される搬送路上に設けられたセンサ３１が追加された構成となっている。
【００６１】
センサ３１は、連続紙の先端が通過したか否かを検出するためのセンサであり、例えば、連続紙の先端が通過してセンサ３１の位置に連続紙が存在する場合にはセンサ３１はオンとなり、連続紙の先端がまだ通過しておらずセンサ３１の位置に連続紙が存在しない場合にはセンサ３１はオフとなるような構成となっている。
【００６２】
次に、本実施形態の画像形成装置１０ａの機能構成を図１０のブロック図を参照して説明する。
【００６３】
本実施形態の画像形成装置１０ａは、図４に示した第１の実施形態における画像形成装置１０に対して、検出部４４が新たに設けられ、制御部４１が制御部４１ａに置き換えられた構成となっている。そのため、図１０において、図４中の構成要素と同一の構成要素には同一の符号を付し、説明を省略するものとする。
【００６４】
検出部４４は、連続紙が搬送される搬送路に設けられたセンサ３１からの出力信号を入力し、連続紙が通過したか否かを検出する検出手段として機能する。なお、検出部４４は、センサ３１と同じ位置に設けられていても良いし、他の場所に設けられていてセンサ３１とは別の構成となっていても良い。さらに、制御部４１ａがセンサ３１からの出力信号を直接入力して、検出部４４の機能を兼ねるような構成とすることも可能である。
【００６５】
そして、本実施形態における制御部４１ａは、裁断処理装置２０が後処理装置として接続されている場合でも、検出部４４により連続紙の通過が検出されない場合には、自動リカバリ機能を無効にせずに、出力指示を受けた印刷データの出力処理が正常に完了しなかった場合、自動リカバリ処理が行われるように印刷部１６を制御する。
【００６６】
次に、本実施形態の画像形成装置１０ａにおける制御部４１ａの動作を図１１のフローチャートに示す。
【００６７】
ここでも初期設定では、制御部４１ａは、自動リカバリ機能を有効であるものと設定しているものとする。
【００６８】
そして、データ送受信部４３が裁断処理装置２０から受信した情報の中に、裁断処理装置が接続されていることを示す接続情報が含まれていると判定部４２において判定された場合（ステップＳ１０１においてｙｅｓ）、制御部４１ａは、検出部４４が連続紙の先端がセンサ３１を通過してことを検出しているか否かを判定する（ステップＳ１０２）。具体的には、制御部４１ａは、検出部４４を介してセンサ３１がオフ状態となっているか否かを判定する。
【００６９】
そして、ステップＳ１０２においてセンサ３１がオフになっていることが検出部４４により検出されている場合（ステップＳ１０２においてｙｅｓ）、制御部４１ａは、自動リカバリ機能を無効にすることなく自動リカバリ機能を有効のままとする。
【００７０】
そして、ステップＳ１０２においてセンサ３１がオンになっていることが検出部４４により検出されている場合（ステップＳ１０２においてｎｏ）、つまり、連続紙の先端が既に搬送路上を通過済みであると判定される場合、制御部４１ａは、自動リカバリ機能を無効とする（ステップＳ２０１）。
【００７１】
このように本実施形態によれば、画像形成装置１０ａに後処理装置として裁断処理装置２０ａが接続されている場合でも、画像形成装置１０ａから出力された連続紙が裁断処理装置２０ａに到達していない場合には、自動リカバリ機能は無効とならずに有効なままとなる。
【００７２】
[第３の実施形態]
次に、本発明の第３の実施形態の印刷システムについて説明する。
【００７３】
図１２は本発明の第３の実施形態の印刷システムのシステム構成を示す図である。図１２において、図９中の構成要素と同一の構成要素には同一の符号を付し、説明を省略するものとする。
【００７４】
本実施形態の印刷システムは、図９に示した印刷システムに対して、画像形成装置１０ａを画像形成装置１０ｂに置き換え、裁断処理装置２０を裁断処理装置２０ｂに置き換えた構成となっている。そして、裁断処理装置２０ｂは、裁断処理装置２０に対して、画像形成装置１０ｂからの連続紙をカット機構２１まで搬送する搬送路上に設けられセンサ３２が追加された構成となっている。
【００７５】
センサ３２は、連続紙が通過したか否かを判定する通過判定手段として機能する。そして、裁断処理装置２０ｂには、画像形成装置１０ｂとの間で通信ケーブル３０を介して情報の送受信を行う送受信手段が設けられている。この送受信手段は、センサ３２による判定結果を、自動リカバリ処理を行うか否かを判定するための情報として画像形成装置１０に送信する。
【００７６】
具体的には、センサ３２による検出情報が、通信ケーブル３０を介して裁断処理装置２０ｂから画像形成装置１０ｂに対して転送される。
【００７７】
次に、本実施形態の画像形成装置１０ｂの機能構成を図１３のブロック図を参照して説明する。
【００７８】
本実施形態の画像形成装置１０ｂは、図１０に示した第２の実施形態における画像形成装置１０ａに対して、制御部４１ｂの判定処理が異なっているのみでその他の構成については同じである。そのため、図１３において、図１０中の構成要素と同一の構成要素には同一の符号を付し、説明を省略するものとする。ただし、本実施形態におけるデータ送受信部４３は、裁断処理装置２０ｂから送信されたセンサ３２の検出情報を受信する。
【００７９】
そして、本実施形態における制御部４１ｂは、データ送受信部４３が受信した情報に、裁断処理装置が接続されていることを示す接続情報が含まれおり、画像形成装置１０から出力された印刷処理後の連続紙が裁断処理装置２０の搬送路上のある位置を通過していないことを示す情報が含まれている場合、検出部４４により連続紙の通過が検出されている場合でも、自動リカバリ処理が行われるように印刷部１６を制御する。
【００８０】
次に、本実施形態の画像形成装置１０ｂにおける制御部４１ｂの動作を図１４のフローチャートに示す。
【００８１】
ここでも初期設定では、制御部４１ｂは、自動リカバリ機能を有効であるものと設定しているものとする。なお、ステップＳ１０１、Ｓ１０２の処理については図１１に示したフローチャートと同じであるため、その説明は省略する。
【００８２】
本実施形態における制御部４１ｂは、データ送受信部４３が裁断処理装置２０から受信した情報の中に、裁断処理装置が接続されていることを示す接続情報が含まれていると判定部４２において判定され（ステップＳ１０１においてｙｅｓ）、センサ３１がオンになっていると検出部４４において判定された場合（ステップＳ１０２においてｎｏ）、データ送受信部４３により受信された情報を参照してセンサ３２がオフであるか否かの判定を行う（ステップＳ１０３）。
【００８３】
そして、ステップＳ１０３においてセンサ３２がオフになっていると判定された場合（ステップＳ１０３においてｙｅｓ）、制御部４１ｂは、自動リカバリ機能を無効にすることなく自動リカバリ機能を有効のままとする。
【００８４】
そして、ステップＳ１０３においてセンサ３２がオンになっていると判定された場合（ステップＳ１０３においてｎｏ）、つまり、連続紙の先端がセンサ３２が設けられた位置を通過済みであると判定される場合、制御部４１ｂは、自動リカバリ機能を無効とする（ステップＳ２０１）。
【００８５】
このように本実施形態によれば、画像形成装置１０ｂに後処理装置として裁断処理装置２０ｂが接続されている場合でも、裁断処理装置２０ｂ内で連続紙がセンサ３２が設けられている位置に到達していない場合には、自動リカバリ機能は無効とならずに有効なままとなる。
【００８６】
[第４の実施形態]
次に、本発明の第４の実施形態の印刷システムについて説明する。
【００８７】
図１５は本発明の第４の実施形態の印刷システムのシステム構成を示す図である。図１５において、図１２中の構成要素と同一の構成要素には同一の符号を付し、説明を省略するものとする。
【００８８】
本実施形態の印刷システムは、図１２に示した印刷システムに対して、画像形成装置１０ｂを画像形成装置１０ｃに置き換え、裁断処理装置２０ｂを裁断処理装置２０ｃに置き換えた構成となっている。そして、本実施形態における裁断処理装置２０ｃは、画像形成装置１０ｃに対してカット機構２１が駆動されたか否かを示す駆動情報を、自動リカバリ処理を行うか否かを判定するための情報として画像形成装置１０ｃに送信する点が裁断処理装置２０ｂと異なっている。
【００８９】
次に、本実施形態の画像形成装置１０ｃの機能構成を図１６のブロック図を参照して説明する。
【００９０】
本実施形態の画像形成装置１０ｃは、図１３に示した第３の実施形態における画像形成装置１０ｂに対して、制御部４１ｃの判定処理が異なっているのみでその他の構成については同じである。そのため、図１６において、図１３中の構成要素と同一の構成要素には同一の符号を付し、説明を省略するものとする。ただし、本実施形態におけるデータ送受信部４３は、裁断処理装置２０ｃから送信されたカット機構２１の駆動情報を受信する。
【００９１】
そして、本実施形態における制御部４１ｃは、データ送受信部４３が受信した情報に、裁断処理装置が接続されていることを示す接続情報が含まれおり、画像形成装置１０から出力された印刷処理後の連続紙が裁断処理装置２０ｃの搬送路上のある位置を通過したことを示す情報が含まれている場合でも、出力指示に基づく印刷データの出力処理の開始後に裁断処理装置２０ｃのカット機構２１が駆動されたことを示す駆動情報が含まれていない場合には、検出部４４により連続紙の通過が検出されている場合でも、自動リカバリ処理が行われるように印刷部１６を制御する。
【００９２】
次に、本実施形態の画像形成装置１０ｃにおける制御部４１ｃの動作を図１７のフローチャートに示す。
【００９３】
ここでも初期設定では、制御部４１ｃは、自動リカバリ機能を有効であるものと設定しているものとする。なお、ステップＳ１０１、Ｓ１０２、Ｓ１０３の処理については図１４に示したフローチャートと同じであるため、その説明は省略する。
【００９４】
本実施形態における制御部４１ｃは、センサ３２がオンになっていると判定した場合（ステップＳ１０３においてｎｏ）、データ送受信部４３により受信された情報中のカット機構２１の駆動情報を参照して、印刷データの出力処理の開始後にカット機構２１が一度でも動作済みであるか否かの判定を行う（ステップＳ１０４）。
【００９５】
そして、ステップＳ１０４においてカット機構２１がまだ動作済みでないと判定された場合（ステップＳ１０４においてｎｏ）、制御部４１ｃは、自動リカバリ機能を無効にすることなく自動リカバリ機能を有効のままとする。
【００９６】
そして、ステップＳ１０４においてカット機構２１が一度でも動作済みであると判定された場合（ステップＳ１０４においてｙｅｓ）、つまり、連続紙の先端がカット機構２１に到達しており連続紙の裁断が行われた後であると判定される場合、制御部４１ｃは、自動リカバリ機能を無効とする（ステップＳ２０１）。
【００９７】
このように本実施形態によれば、画像形成装置１０ｃに後処理装置として裁断処理装置２０ｂが接続されている場合でも、裁断処理装置２０ｃ内で連続紙がカット機構２１に到達していない場合には、自動リカバリ機能は無効とならずに有効なままとなる。
【００９８】
なお、本実施形態では、センサ３１、センサ３２の検出情報、カット機構２１の駆動情報の３つの情報により、自動リカバリ機能を無効にするか有効のままとするかの判定を行っていたが、本発明はこのような構成に限定されるものではない。本実施形態において用いていたセンサ３１、センサ３２の検出情報、カット機構２１の駆動情報の３つの情報のうちのいずれか１つの情報または２つの情報の組み合わせにより自動リカバリ機能を無効にするか有効のままとするかの判定を行うようにすることも可能である。
【００９９】
[変形例]
上記第１〜第４の実施形態では、画像が出力された後の連続紙の後処理を行うための後処理装置の一例として裁断処理を用いた場合を用いて説明したが、本発明はこれに限定されるものではなく、スタッカ等の他の後処理装置が画像形成装置に接続されるような場合でも同様に本発明を適用することができるものである。
【符号の説明】
【０１００】
１０、１０ａ、１０ｂ、１０ｃ    画像形成装置
１１    ＣＰＵ
１２    メモリ
１３    記憶装置
１４    通信インタフェース（ＩＦ）
１５    ユーザインタフェース（ＵＩ）装置
１６    印刷部
１７    制御バス
２０、２０ｂ、２０ｃ    裁断処理装置
２１    カット機構
３０    通信ケーブル
３１、３２    センサ
４１、４１ａ、４１ｂ、４１ｃ    制御部
４２    判定部
４３    データ送受信部
４４    検出部
【図１】
2015221533.tif 000003
【図２】
2015221533.tif 000004
【図３】
2015221533.tif 000005
【図４】
2015221533.tif 000006
【図５】
2015221533.tif 000007
【図６】
2015221533.tif 000008
【図７】
2015221533.tif 000009
【図８】
2015221533.tif 000010
【図９】
2015221533.tif 000011
【図１０】
2015221533.tif 000012
【図１１】
2015221533.tif 000013
【図１２】
2015221533.tif 000014
【図１３】
2015221533.tif 000015
【図１４】
2015221533.tif 000016
【図１５】
2015221533.tif 000017
【図１６】
2015221533.tif 000018
【図１７】
2015221533.tif 000019